(57)【要約】【課題】  学校７に出入りするときに学童９に音声で私信のメッセージを伝達する。【解決手段】  学校７に出入りする学童９にＩＣタグ２０３を持たせ、そのＩＣタグ２０３のＩＤを検出して、そのＩＤへの私信のメッセージを学童データベース２（２３５）から読み込んで、超指向性音響伝達装置２０７、２０９、２１１によって、そのＩＣタグ２０３を持っている学童９だけに、携帯電話機などを用いることなく伝達する。  又、学童データベース２（２３５）へは、父母や教師が電子メールで、メッセージを書き込む。  ＩＣタグ２０３には、選択スイッチ６３が設けられ、メッセージを確認したとの返答を出すことができる。この確認情報も電子メールで送信される。【選択図】図１
2007087037.tif 000002
【特許請求の範囲】
【請求項１】
被管理対象を検出して、該被管理対象に関する管理を行う被管理対象管理システムであって、
上記被管理対象に情報を伝達する情報伝達領域と、
上記情報伝達領域に向かて、指向性を有する音響を出力する指向性音響出力手段と、
識別情報を記憶する識別情報記憶手段と、
上記情報伝達領域に位置する上記識別情報記憶手段から、該識別情報記憶手段が記憶する識別情報を検出する識別情報検出手段と、
上記識別情報に対応する情報を記憶する情報記憶手段と、
上記識別情報に対応する情報を入力する情報入力手段と、
上記情報入力手段によって入力された上記識別情報に対応する情報を上記情報記憶手段に記憶する情報書込手段と、
上記識別情報検出手段によって検出した上記識別情報に対応する情報を上記情報記憶手段から読み込む情報読込手段と、
上記情報読込手段によって読み込んだ情報を、上記指向性音響出力手段から出力させる情報伝達実行手段と
を備えることを特徴とする被管理対象管理システム。
【請求項２】
上記指向性音響出力手段は、上記情報伝達領域を境界にして、音圧レベルが段階的に相違する音響の出力構造を有することを特徴とする請求項１に記載の被管理対象管理システム。
【請求項３】
上記情報読込手段によって読み込んだ情報を、音声メッセージ信号に変換後、上記指向性音響出力手段に供給する音声信号変換手段を備えることを特徴とする請求項１、又は請求項２に記載の被管理対象管理システム。
【請求項４】
上記情報入力手段は、電子メール型式で入力した情報から上記識別情報に対応する情報を抽出する情報抽出手段を備えることを特徴とする請求項１ないし請求項３の何れかに記載の被管理対象管理システム。
【請求項５】
上記識別情報記憶手段は、
選択スイッチと、
該選択スイッチの状態と、上記識別情報とを無線送信する無線送信手段とを有するＩＣタグ内に備えられ、
上記識別情報検出手段は、
上記ＩＣタグの無線送信手段から送信された上記選択スイッチの状態と、上記識別情報とを受信する無線受信手段と、
上記無線受信手段によって受信した上記選択スイッチの状態を上記情報記憶手段に記憶する選択スイッチ状態記憶手段とを備えることを特徴とする請求項１ないし請求項４の何れかに記載の被管理対象管理システム。
【請求項６】
上記識別情報検出手段によって検出された識別情報に対応する情報を上記情報記憶手段から読み込んで、該読み込んだ情報に記載されている送信先に、電子メールを送信する電子メール送信手段を備えることを特徴とする請求項１ないし請求項５の何れかに記載の被管理対象管理システム。
【請求項７】
上記電子メール送信手段は、
上記ＩＣタグの無線送信手段によって送信された上記選択スイッチの状態の情報を、上記電子メールに含ませる選択スイッチ状態連絡手段を備えることを特徴とする請求項６に記載の被管理対象管理システム。
【発明の詳細な説明】
【技術分野】
【０００１】
本発明は、学校や塾、会社やコンピュータ室などの管理区域に出入りする被管理対象、例えば、学童や会社員、研究員、オペレータなどを識別情報を記憶したＩＣタグによって検出して、該被管理対象に関する連絡を例えば、その場で、被管理対象本人に直接音声で連絡したり、家族に電子メールで連絡したり、被管理対象の管理や被管理対象に関する情報の管理に利用する技術に関する。
【背景技術】
【０００２】
従来、学校や塾などの管理区域に出入りする被管理対象、例えば、学童などを検出して、この学童などの被管理対象に関する連絡を例えば、家族に電子メールで連絡する技術が開示されている（特許文献１参照）。
【０００３】
この様な技術では、例えば、学童が学校から帰る場合に、家族の携帯電話に、「○○時に、○○ちゃん○○学校から帰る。」というような、学童の所在や行動を明らかにする連絡情報が電子メールによって伝達されている。
【０００４】
又、学校や塾、会社や病院に出入りする学童や会社員、医者や看護士などに連絡事項、例えば、本日の予定や注意事項、或いは立ち寄り先の指示などを電子メールで伝達する技術も開発されている。
【特許文献１】特開２００４−４６４５８号公報
【発明の開示】
【発明が解決しようとする課題】
【０００５】
しかしながら、従来の技術による連絡情報の伝達は、例えば、家族に対しては、緊急性や迅速性が低いことから、電子メール、ファクシミリ、電話音声などの情報伝達機器を介して間接的に伝達する方法であっても不都合の発生は、少なかったが、被管理対象に対する連絡情報の伝達では、緊急性や迅速性が要求される場合が多く、電子メールなどで間接的に伝達を行う方法では、連絡遅れなどの不都合の発生が考えられる。
【０００６】
このため、管理区域の出入口に受付機を設置し、例えば、被管理対象がＩＣタグ等で受付をすると、連絡情報をディスプレイに表示する直接伝達方法の技術も開発されているが、この様な技術では、受付機の利用が不可避であり、不便であり、現実的ではなかった。
【０００７】
又、被管理対象への連絡を全て携帯電話機で直接伝達するといった方法は、現実的ではなかった。
そこで、本発明では、管理区域に出入りする被管理対象への連絡情報の伝達を被管理対象が携帯電話機等の情報伝達機器を所持することなく、しかも受付機を利用することもなく行えるようにすると共に、その伝達に際しては、他人がその連絡情報の内容を知ることがないようにして、プライバシーが確保される技術の提供を目的とする。
【０００８】
又、この連絡情報が被管理対象に伝達されたことを確認したり、この連絡情報に対する返事を被管理対象から貰うことを可能にすることで、利便性をより向上すると共に、下校時の学童などの立ち寄り先の確認を求めたり、帰宅時間の確認を求めたりなど、被管理対象の行動の監督、監視、管理機能を提供することを目的とする。
【課題を解決するための手段】
【０００９】
上記課題を解決するための手段として、請求項１の発明の被管理対象管理システムは、被管理対象を検出して、該被管理対象に関する管理を行う被管理対象管理システムであって、上記被管理対象に情報を伝達する情報伝達領域と、上記情報伝達領域に向かて、指向性を有する音響を出力する指向性音響出力手段と、識別情報を記憶する識別情報記憶手段と、上記情報伝達領域に位置する上記識別情報記憶手段から、該識別情報記憶手段が記憶する識別情報を検出する識別情報検出手段と、上記識別情報に対応する情報を記憶する情報記憶手段と、上記識別情報に対応する情報を入力する情報入力手段と、上記情報入力手段によって入力された上記識別情報に対応する情報を上記情報記憶手段に記憶する情報書込手段と、上記識別情報検出手段によって検出した上記識別情報に対応する情報を上記情報記憶手段から読み込む情報読込手段と、上記情報読込手段によって読み込んだ情報を、上記指向性音響出力手段から出力させる情報伝達実行手段とを備えることを要旨とする。
【００１０】
請求項１の被管理対象管理システムは、先ず、情報入力手段が識別情報に対応する情報を入力すると、情報書込手段がその入力した識別情報に対応する情報を、情報記憶手段に記憶する。
【００１１】
この状態で、識別情報を記憶する識別情報記憶手段が例えば、被管理対象に持参されて、情報伝達領域に入ると、識別情報検出手段が、その識別情報記憶手段に記憶されている識別情報を検出する。次いで、情報読込手段が、その検出された識別情報に対応する情報を情報記憶手段から読み込み、情報伝達実行手段が、その読み込んだ識別情報に対応する情報を、指向性音響出力手段から出力させる。
【００１２】
これにより、指向性音響出力手段は、識別情報に対応する情報の音響を、情報伝達領域に向けて、指向性を有する音響で出力する。
従って、情報伝達領域には、この情報伝達領域に位置する識別情報記憶手段に記憶されている識別情報に対応する情報の音響が提供され、被管理対象がその音響を聞くことが可能になる。
【００１３】
又、この場合には、情報伝達領域の外に向けては、識別情報に対応する情報の音響は、出力されない。従って、情報伝達領域の外では、識別情報に対応する情報の音響を聞くことは、難しくなる。
【００１４】
従って、例えば、学校などの管理区域に出入りする被管理対象への連絡情報の伝達を被管理対象が携帯電話機等の情報伝達機器を所持することなく、しかも受付機を利用することもなく行えると共に、その伝達に際しては、他人がその連絡情報の内容を知ることが難しく、プライバシーが確保される。
【００１５】
尚、指向性音響出力手段としては、どの様な原理のものでも利用可能であるが、例えば、周知の超音波と空気との相互作用を利用して、超音波が可聴音に変わる位置を利用した方式のものや超音波、或いは可聴音の位相を利用して、超指向性や指向性を得る方式のものを利用することが可能である。
【００１６】
請求項２の被管理対象管理システムは、上記指向性音響出力手段は、上記情報伝達領域を境界にして、音圧レベルが段階的に相違する音響の出力構造を有することを特徴とする請求項１に記載の被管理対象管理システムを要旨とする。
【００１７】
請求項２の被管理対象管理システムは、請求項１と同様の作用を有することに加え、指向性音響出力手段から情報伝達領域を境界にして、音圧レベルが段階的に相違する音響が出力されることにより、情報伝達領域を境界にして、識別情報に対応する情報の聴取可否を明確に分けることが可能になる。
【００１８】
請求項３の被管理対象管理システムは、上記情報読込手段によって読み込んだ情報を、音声メッセージ信号に変換後、上記指向性音響出力手段に供給する音声信号変換手段を備えることを特徴とする請求項１、又は請求項２に記載の被管理対象管理システムを要旨とする。
【００１９】
請求項３の被管理対象管理システムは、請求項１、又は請求項２と同様の作用を有することに加え、音声信号変換手段が、情報読込手段によって読み込んだ情報を、音声メッセージ信号に変換後、指向性音響出力手段に供給する。
【００２０】
これにより、例えば、文字情報のメッセージを、音声のメッセージに変換して、指向性音響出力手段から出力することが可能になる。
従って、情報入力手段は、文字情報のメッセージを入力することが可能になる。
【００２１】
尚、識別情報に対応する情報を、例えば、情報機器の音声通信機能や携帯電話機等の音声通話機能を利用して、音声通話で、直接入力したり、或いはファイル化して、直接、或いはメールに添付して、入力しても良い。
【００２２】
請求項４の被管理対象管理システムは、上記情報入力手段は、電子メール型式で入力した情報から上記識別情報に対応する情報を抽出する情報抽出手段を備えることを特徴とする請求項１ないし請求項３の何れかに記載の被管理対象管理システムを要旨とする。
【００２３】
請求項４の被管理対象管理システムは、請求項１ないし請求項３の何れかと同様の作用を有することに加え、情報入力手段の情報抽出手段が、電子メール型式で入力した情報から識別情報に対応する情報を抽出し、情報書込手段がその抽出した識別情報に対応する情報を情報記憶手段に記憶させる。
【００２４】
これにより、文字情報のメッセージを電子メールで入力することが可能になる。
請求項５の被管理対象管理システムは、上記識別情報記憶手段は、選択スイッチと、該選択スイッチの状態と、上記識別情報とを無線送信する無線送信手段とを有するＩＣタグ内に備えられ、上記識別情報検出手段は、上記ＩＣタグの無線送信手段から送信された上記選択スイッチの状態と、上記識別情報とを受信する無線受信手段と、上記無線受信手段によって受信した上記選択スイッチの状態を上記情報記憶手段に記憶する選択スイッチ状態記憶手段とを備えることを特徴とする請求項１ないし請求項４の何れかに記載の被管理対象管理システムを要旨とする。
【００２５】
請求項５の被管理対象管理システムは、請求項１ないし請求項４の何れかと同様の作用を有することに加え、識別情報記憶手段が、選択スイッチと、この選択スイッチの状態と、識別情報とを無線送信する無線送信手段とを有するＩＣタグ内に備えられている。
【００２６】
又、識別情報検出手段の無線受信手段がそのＩＣタグの無線送信手段から送信された選択スイッチの状態と、識別情報とを受信し、選択スイッチ状態記憶手段がその無線受信手段によって受信した選択スイッチの状態を情報記憶手段に記憶する。
【００２７】
これにより、ＩＣタグの選択スイッチを選択すると、その選択状態が情報記憶手段に記憶される。
従って、この情報記憶手段を読み込むことで、ＩＣタグの選択スイッチの状態を知ることが可能になる。
【００２８】
請求項６の被管理対象管理システムは、上記識別情報検出手段によって検出された識別情報に対応する情報を上記情報記憶手段から読み込んで、該読み込んだ情報に記載されている送信先に、電子メールを送信する電子メール送信手段を備えることを特徴とする請求項１ないし請求項５の何れかに記載の被管理対象管理システムを要旨とする。
【００２９】
請求項６の被管理対象管理システムは、請求項１ないし請求項５の何れかと同様の作用を有することに加え、電子メール送信手段が、識別情報検出手段によって検出された識別情報に対応する情報を情報記憶手段から読み込んで、この読み込んだ情報に記載されている送信先に、電子メールを送信する。
【００３０】
これにより、被管理対象が例えば、学校や塾などを入退出する時に、被管理対象の関係者に電子メールが送信される様に出来る。
又、被管理対象に入退出時にメッセージを伝達する機能と、被管理対象が入退出したことを知らせるメッセージを電子メールで伝達する機能とを両方とも備えることができ、或いは、被管理対象がメッセージを確認したことを伝達する機能をも備えることができる。
【００３１】
請求項７の被管理対象管理システムは、上記電子メール送信手段は、上記ＩＣタグの無線送信手段によって送信された上記選択スイッチの状態の情報を、上記電子メールに含ませる選択スイッチ状態連絡手段を備えることを特徴とする請求項６に記載の被管理対象管理システムを要旨とする。
【００３２】
請求項７の被管理対象管理システムは、請求項６と同様の作用を有することに加え、電子メール送信手段の選択スイッチ状態連絡手段が、ＩＣタグの無線送信手段によって送信された選択スイッチの状態の情報を、電子メールに含ませる。
【００３３】
これにより、被管理対象に入退出時にメッセージを伝達する機能と、被管理対象が入退出したことを知らせるメッセージの電子メールを伝達する機能と、被管理対象がメッセージを確認したことを知らせる電子メールを伝達する機能とを備えることができる。
【発明の効果】
【００３４】
請求項１の発明の被管理対象管理システムは、情報伝達領域には、この情報伝達領域に位置する識別情報記憶手段に記憶されている識別情報に対応する情報の音響が提供され、被管理対象がその音響を聞くことが可能になり、情報伝達領域の外に向けては、識別情報に対応する情報の音響は、出力されず、情報伝達領域の外では、識別情報に対応する情報の音響を聞くことは、難しくなる。
【００３５】
この結果、例えば、学校などの管理区域に出入りする被管理対象への連絡情報の伝達を被管理対象が携帯電話機等の情報伝達機器を所持することなく、しかも受付機を利用することもなく行えると共に、その伝達に際しては、他人がその連絡情報の内容を知ることが難しく、プライバシーが確保されて、利便性と、秘密の保持機能とを共に向上することができるという極めて優れた効果を奏する。
【００３６】
請求項２の被管理対象管理システムは、請求項１と同様の効果を有することに加え、指向性音響出力手段から情報伝達領域を境界にして、音圧レベルが段階的に相違する音響が出力されることにより、情報伝達領域を境界にして、識別情報に対応する情報の聴取可否を明確に分けることが可能になることから、情報伝達領域を他の人が通ったり、立ち止まる位置の近くに設けても、他人が連絡情報の内容を知ることができなくなる。
【００３７】
従って、情報伝達領域の設置場所の自由度が高くなるとともに、被管理対象が通常通行する位置から大きく外れることのない位置に、情報伝達領域を設定して、被管理対象への情報の伝達を行うことが可能になる。
【００３８】
この結果、利便性と、秘密の保持機能とを更に向上することができるという極めて優れた効果を奏する。
請求項３の被管理対象管理システムは、請求項１、又は請求項２と同様の効果を有することに加え、例えば、文字情報のメッセージを、音声のメッセージに変換して、指向性音響出力手段から出力することが可能になることから、情報入力手段が、文字情報のメッセージを入力することが可能になる。
【００３９】
この結果、指向性音響出力手段から出力させる識別情報に対応する情報を例えば、電子メールの文字データで、設定することが可能になり、例えば、被管理対象の関係者が何時でも何処でも携帯電話機などで簡単に設定することができ、利便性が向上するという効果を奏する。
【００４０】
請求項４の被管理対象管理システムは、請求項１ないし請求項３の何れかと同様の効果を有することに加え、文字情報のメッセージを電子メールで入力することが可能になり、被管理対象の関係者が何時でも何処でも携帯電話機などで簡単にメッセージを入力することができ、利便性が向上するという効果を奏する。
【００４１】
請求項５の被管理対象管理システムは、請求項１ないし請求項４の何れかと同様の効果を有することに加え、ＩＣタグの選択スイッチを選択すると、その選択状態が情報記憶手段に記憶されることから、この情報記憶手段を読み込んで、ＩＣタグの選択スイッチの状態を知ることが可能になる。
【００４２】
この結果、ＩＣタグを持参する被管理対象の意思や返事を利用することができて、双方向のメッセージの伝達機能が構成され、例えば、その意思や返事を識別情報に対応する情報を書き込んだ被管理対象の関係者に伝えることが可能になるなど、色々な利用方法を提供可能になると言う極めて優れた効果を奏する。
【００４３】
例えば、色々な利用方法としては、家族が学童に行き先や帰宅時間の確認を求めるメッセージを伝達し、そのメッセージを聞いたことの確認を求めたり、そのメッセージの返事を求めたりする用途の利用が可能になる。
【００４４】
又、この双方向のメッセージの伝達機能が学童に携帯電話機などを持たせることなく利用でき、便利である。
しかも、この双方向のメッセージの伝達機能が被管理対象と、その関係者間との緊密な情報の交換機能を発揮させ、例えば、事件や事故などを未然に防止したり、解決を早めたりする効果を奏する。
【００４５】
請求項６の被管理対象管理システムは、請求項１ないし請求項５の何れかと同様の効果を有することに加え、被管理対象に入退出時にメッセージを伝達する機能と、被管理対象が入退出したことを知らせるメッセージを伝達する機能とを両方とも備えることができ、或いは、被管理対象がメッセージを確認したことを伝達する機能をも備えることができることから、被管理対象と、被管理対象の関係者との間の意思疎通を簡単に構成することが可能になり、利便性が向上するという極めて優れた効果を奏する。
【００４６】
請求項７の被管理対象管理システムは、請求項６と同様の効果を有することに加え、被管理対象に入退出時にメッセージを伝達する機能と、被管理対象が入退出したことを知らせるメッセージの電子メールを伝達する機能と、被管理対象がメッセージを確認したことを知らせる電子メールを伝達する機能とを備えることができ、被管理対象と、被管理対象の関係者との間の意思疎通を簡単に構成することが可能になり、利便性が向上するという極めて優れた効果を奏する。
【発明を実施するための最良の形態】
【００４７】
次に発明の実施の形態の被管理対象管理システム１を説明する。
図１は、被管理対象管理システム１の使用状態の説明図、図２は、ＩＣタグ３の外観図、図３は、被管理対象管理システム１のブロック図、図４は、ＩＣタグ２０３の正面図、図５は、ＩＣカード５の使用状態の説明図である。
【００４８】
被管理対象管理システム１は、図１に示すように、学校７に設置され、学校７に登校してくる学童９の存在を検出して、その存在の検出に基づく電子メールを父母に送信することと、学童９へのメッセージを伝達する機能を有する。
【００４９】
先ず、電子メールを父母に送信する構成を説明する。
被管理対象管理システム１は、学校７の出入口１１に配設されたＵＨＦアンテナ１３、１５と、このＵＨＦアンテナ１３、１５から出力された無線電波を電源にして機能するＵＨＦ帯パッシブ型のＲＦＩＤ構造を有するＩＣタグ３と、学校７内に設置された制御装置１７と、ＵＨＦアンテナ１３、１５と、制御装置１７との間を接続する信号線１９とを備えている。ここで設置されているＵＨＦアンテナ１３、１５は、学校７の図示しない出入口１１にも設けられる。又、ＩＣタグ３は、学校７に登校する学童９の全員が所持する。尚、ＩＣタグ３は、学校７への出入りが管理される者、例えば、教師や事務員、用務員が所持し、或いは物品、自動車や自転車に取り付けられる。尚、学校７への出入りの管理に関しては、詳細の説明は省略するが、出入り状態の記録を残したり、不正な出入りを管理するなど行う。
【００５０】
又、ＵＨＦアンテナ１３は、図１に示すようなＩＣタグ３の検出エリア１３Ａを有し、ＵＨＦアンテナ１５は、検出エリア１５Ａを有し、出入口１１を通過する学童９が所持するＩＣタグ３から送信された識別コードＩＤと、暗号キーＥＫとを受信する機能を有する。尚、ＵＨＦアンテナ１３、１５は、慣用されているＵＨＦ帯パッシブ型のＲＦＩＤ用のリード／ライト用であって、数メートルの検出エリアを有する。尚、ＵＨＦアンテナ１３、１５と、ＩＣタグ３は、各種法令による規制品であり、使用する周波数帯域やアクティブ型、あるいはパッシブ型は、適宜適切な規格や構造のものが採用される。尚、ここでは、現時点で検知距離やＩＣタグ３の寸法や価格、メンテナス性などを考慮して、最適な規格として、ＵＨＦ帯、パッシブ型を採用し、例を示す。
【００５１】
ＩＣタグ３は、図２に示すように、カード状の本体２１と、この本体２１の取付穴２５に取り付けられた取付具２３とを備えている。これによりＩＣタグ３は、取付具２３によって、例えば、学童９が背負う鞄２７等に取り付けられる。このＩＣタグ３の本体２１には、ＩＣタグ３の所属を明確にする学校名表示２９と、通し番号表示３１とが印字、印刷されている。このＩＣタグ３は、詳細の図示は省略するがＵＨＦ帯の電波の送受信用の複数のアンテナと、アンテナによって受信した電波から電源を作る電源回路と、電子回路と、ＥＥＰＲＯＭ等から構成されている。これにより、詳細を後述するがＥＥＰＲＯＭに格納されている暗号キーＥＫのデータと、識別コードＩＤのデータとをアンテナから送信する機能を有する。尚、この送信機能は、慣用されている手法によって実行される。
【００５２】
又、このＩＣタグ３から暗号キーＥＫのデータと、識別コードＩＤのデータとを読み取るＵＨＦアンテナ１３、１５には、図示しない制御装置が付属し、ＵＨＦ帯ＲＦＩＤリーダ・ライタを構成し、ＩＣタグ３から読み込んだ暗号キーＥＫのデータと、識別コードＩＤのデータとを学校７内に設置された制御装置１７に送信する。尚、詳細な動作の説明は省略する。
【００５３】
以上の構成により、図１に示すように、ＩＣタグ３を身につけた学童９が学校７の出入口１１を通ると、後述するように、ＩＣタグ３に記憶されていた暗号キーＥＫのデータと、識別コードＩＤのデータとが制御装置１７に送信される。これは、学童９が出入口１１を通過する毎に実行される。
【００５４】
この様に暗号キーＥＫのデータと、識別コードＩＤのデータとの送信を受ける制御装置１７は、図３に示すように、通信インタフェース３３によって受信し、図示を省略するマイクロコンピュータ構成によって、後述する様に電子メールを父母に送信する機能を有する。
【００５５】
次ぎに、図６の学童カード処理に基づいて、ＩＣタグ３の動作の詳細を説明する。この図６の学童カード処理は、ＩＣタグ３の図示しない電子回路で繰り返し実行される処理である。
【００５６】
先ず、ＩＣタグ３が検出エリア１３Ａ、１５Ａに入って、電源の供給が開始されると、ＵＨＦアンテナ１３、１５から送信されている電波に含まれる情報を受信する読込信号受信処理が行われる（Ｓ１００）。次いで、読み込んだ信号に識別コードＩＤの返信を求める情報が含まれているかを判断し（Ｓ１１０）、識別コードＩＤの返信を求めていなければ、そのまま一旦終了する。この識別コードＩＤの返信を求めているか否かの判断は、むやみに、識別コードＩＤの情報を送信しないために重要である。この確認は、所定の手順通りに進行するか否かによって行われる。従って、この手順を秘密にしておき、且つ確認コードやパスワードを利用することで、極めて高いセキュリティを持たせることが可能になる。
【００５７】
ここで、識別コードＩＤの返信を求めていると判断した場合には（Ｓ１１０）、次ぎに、図示しないＥＥＰＲＯＭから暗号キーＥＫを入力する処理行い（Ｓ１２０）、次いで、同様に、識別コードＩＤを入力する処理を行って（Ｓ１３０）、更に、送信待ちになっているデータがあればそれを入力する処理を行う（Ｓ１４０）。
【００５８】
尚、暗号キーＥＫや識別コードＩＤの入力は、必ず行われ、送信待ちのデータの入力は、必ず行う必要はない。又、これは、ＵＨＦアンテナ１３、１５から送信されている電波に含まれる情報に、送信待ちのデータの送信を求める情報が含まれている場合にのみ行うようにしても良い。
【００５９】
以上の処理（Ｓ１２０ないしＳ１４０）の終了後、それらの情報を返信データに加工する識別コードＩＤ＋暗号キーＥＫデータを含む返信データの作成処理を行って（Ｓ１５０）、その作成した返信データを図示しないアンテナによってＵＨＦ帯の無線で送信する処理を行い（Ｓ１６０）、本学童カード処理を一旦終了する。
【００６０】
ここで送信された返信データは、図３に示すように、ＵＨＦアンテナ１３、１５で受信され、信号線１９を通って、制御装置１７の通信インタフェース３３に入り、制御装置１７の図示しないマイクロコンピュータで、参照可能になる。
【００６１】
図７は、制御装置１７で所定時間毎に実行される学童カード門扉通過処理ルーチンのフローチャート、図８は、学童データベース１の説明図である。
図７の学童カード門扉通過処理ルーチンが起動されると、先ず、図６のＳ１６０の処理によって送信されてきた返信データを通信インタフェース３３から取り込む返信データの読込処理を実行し（Ｓ２００）、返信データの読み込みがなければ（Ｓ２１０）、本学童カード門扉通過処理をそのまま一旦終了する。
【００６２】
一方、返信データの読み込みがあったと判断した場合には（Ｓ２１０）、次ぎに、その返信データから識別コードＩＤと、暗号キーＥＫとを抽出する処理を行って（Ｓ２２０）、その抽出した識別コードＩＤに基づいて、図８に示す学童データベース１（３５）の抽出した識別コードＩＤの門扉通過時間記録エリア３７に、現在時間を格納する処理を行う（Ｓ２３０）。この門扉通過時間記録エリア３７に現在時間が記録されることで、この識別コードＩＤを有する学童９が学校７に登校したとの記録が残されると共に、後刻、色々な処理や判断を行う場合に、参照可能になる。
【００６３】
次いで、学童データベース１（３５）の送信文記録エリア３９に格納されているデータを読み込み（Ｓ２４０）、そのデータに基づいて、門扉通過時に送信するメールの作成を行って（Ｓ２５０）、その作成したメールをＳ２２０で抽出した暗号キーＥＫで暗号化し（Ｓ２６０）、その暗号化したメールを門扉通過時メールとして、学童データベース１（３５）の保護者送信先アドレス記録エリア４１に記録されている電子メールアドレスに、電子メールで送信を実行する処理を行う（Ｓ２７０）。
【００６４】
これにより、例えば、送信文記録エリア３９に「○○ちゃん○○学園に登校。」というデータが記録され、保護者送信先アドレス記録エリア４１に、「××××」の電子メールアドレスが記録されている場合には、「××××」のアドレスに、「○○ちゃん○○学園に登校。○○時○○分」の電子メールが送信される。
【００６５】
又、このＳ２７０の処理では、送信の実行後、メールサーバへの到達を確認して、送信済み印記録エリア４３に現在時間を記録する処理を行う。
尚、返信データの読み込みで、識別コードＩＤと、暗号キーＥＫ以外のデータが含まれていた場合には、図示しない受信文格納処理によって、受信文記録エリア４５に、その内容を記録する処理を行う。この受信文記録エリア４５に格納されたデータは、図示しない受信文確認処理によって、読み出され、例えば、担任による確認が行われる。又、受信文確認処理によって、担任等による確認が行われると、その確認者の識別コードＩＤが受信文参照済み印記録エリア４７に書き込まれるように構成されている。
【００６６】
この様に電子メールが送信される処理が行われると、制御装置１７の通信インタフェース４９から公衆通信回線５１と、ＴＣＰ/ＩＰネットワーク５３とを経由して、電子メールのメールサーバ５５に電子メールが格納され、例えば、携帯電話局５７によって、携帯電話機５９に配信される。尚、電子メールは、電子メールアドレスの所有者毎に、伝達経路が相違する。例えば、携帯電話機に配信されるものやコンピュータに配信されるものなど様々である。
【００６７】
次ぎに、携帯電話機５９に配信される場合を説明する。
携帯電話機５９では、周知慣用されている手法で、電子メールが配信され、格納されるが、被管理対象管理システム１から出力された電子メールは、暗号キーＥＫで暗号化されている。
【００６８】
この暗号化されている電子メールをＩＣカード５で復号化する構成を以下に説明する。
このＩＣカード５は、近距離型のＲＦＩＤの機能を有するものであって、図示しないアンテナと、ＥＥＰＲＯＭと、制御回路と、電源回路とを備えている。
【００６９】
このＩＣカード５は、アンテナをリーダ・ライターに近接させることで、データのリード・ライトが可能である。
このＩＣカード５を図５に示すような携帯電話機５９で使用する場合には、携帯電話機５９にＩＣカード５対応のリード・ライト装置９９が取り付けてある必要がある。このリード・ライト装置９９は、携帯電話機５９に内蔵するものでも、後付のものでも良い。
【００７０】
図５に示すリード・ライト装置９９は、制御用のソフトウエアを記憶し、携帯電話機５９の制御装置１１１にソフトウエアを供給すると共に、その制御装置１１１によって、制御可能な構成を備える。又、携帯電話機５９は、制御装置１１１によって、入力がモニタされるキーボード１１３と、制御装置１１１によって表示状態が制御されるディスプレイ１１５とを備えている。
【００７１】
又、リード・ライト装置９９は、携帯電話機５９のメールソフトから利用可能な構成を有し、メールソフトからの委託で、ＩＣカード５にアクセスし、復号キーＤＫ（又は暗号キーＥＫ）を読み込んで、メールソフトに転送する機能を有する。尚、慣用されているハードウエアのプラグアンドプレイであり、詳細な説明は省略する。又、メールソフトが必要とするソフトウエアは、リード・ライト装置９９に予め記憶されており、リード・ライト装置９９を携帯電話機５９に接続したときに、インストールされる構成を有する。
【００７２】
又、本発明は、近接型のＲＦＩＤによって、ＩＣカード５の復号キーＤＫを読み込む構成に代えて、その他のインタフェースを利用する構成の使用も可能である。特に、ＩＣカード５のように、携帯可能媒体で供給された復号キーＤＫを読み込む構成であれば、携帯電話機５９の使用者が一々復号キーＤＫを手で入力する必要がなく、利便性を向上する機能の提供は可能である。
【００７３】
このＩＣタグ３と、ＩＣカード５とは、暗号の作成と、復号とを行う組として、予め作成され、学童９と、父母とに供給される。
尚、リード・ライト装置９９が携帯電話機５９に内蔵型の場合には、携帯電話機５９にメモリー媒体の形状でソフトウエアを供給し、リード・ライト装置９９やメールソフトウエアを利用可能にする。
【００７４】
以上の構成を備えた携帯電話機５９に電子メールが着信すると、この着信した電子メールが暗号化されていれば、復号キーＤＫを利用して、暗号化されたデータを復号する処理を行う。
【００７５】
ここでの復号キーＤＫの入力は、毎回入力するか、或いは予め入力しておいた復号キーＤＫを使う。例えば、毎回入力を行う場合には、図５に示すように、携帯電話機５９のリード・ライト装置９９にＩＣカード５を近づけることで、実行される。又、直接入力する場合には、携帯電話機５９のキーボード１１３から、復号キーＤＫを直接入力する。
【００７６】
一方、予め入力しておいた復号キーＤＫを使う場合には、携帯電話機５９の制御装置１１１のメモリに予め格納しておいた復号キーＤＫを読み込んで利用する。
復号キーＤＫの読み込み後、この復号キーＤＫの利用を可能にするパスワードを入力し、復号キーＤＫと、パスワードが適切であれば、暗号化された電子メールが復号されて、暗号化される前の状態になり、受信した電子メールの中身を、見ることが可能になり、電子メールを理解することが可能になる。
【００７７】
以上に説明した被管理対象管理システム１は、連絡情報を伝える電子メールの内容の秘匿化が被管理対象である学童９の操作を必要とすることなく実現されており、その秘匿化の実効化が、学童９による煩わしい操作などの負担を強いることなく提供され、利便性が向上するという極めて優れた効果を奏する。又、学校７などの電子メールを送信する側も暗号キーＥＫを記憶管理する必要がなく、便利である。
【００７８】
その上、この連絡情報を伝える電子メールの内容の秘匿により、電子メールの内容に基づいて、連絡情報が犯罪に利用されて、学童９が誘拐されるなどの犯罪に巻き込まれることが防止され、社会に有益なシステムを提供することが出来て、公益性を向上することが出来るという極めて優れた効果を奏する。
【００７９】
次ぎに、学校７の出入口１１で、学童９へメッセージを伝達する機能を説明する。
尚、ＩＣタグ３を利用して、学童９にメッセージを伝達することも可能であるが、ＩＣタグ３を更に高機能にした図４に示すＩＣタグ２０３を利用して、学童９との間で、双方向通信を行う例を示して、学童９にメッセージを伝達する機能を説明する。
【００８０】
図４のＩＣタグ２０３は、遠距離型（ＵＨＦ帯パッシブ型）のＲＦＩＤの機能を有するものであって、アンテナ６１と、選択スイッチ６３と、制御回路７３と、これらを収納する４角板状のケース７７とを備えている。又、ケース７７の表面には、学園名表示８１と、選択記号表示８３と、選択番号表示８５とが設けられている。
【００８１】
又、ＩＣカード５は、選択スイッチ６３と、アンテナ６１とが、制御回路７３に接続されている。これにより、選択スイッチ６３の第１の位置６３ａ（選択記号表示８３の「○」が記された位置、選択番号表示８５の「１」で指示される位置）を操作すると、その情報が制御回路７３に入力され、アンテナ６１を経由して、外部の制御装置１７から読み取ることが可能な構成を有する。同様に、選択スイッチ６３の第２の位置６３b（選択記号表示８３の「Ｘ」が記された位置、選択番号表示８５の「２」で指示される位置）を操作すると、その情報が制御回路７３に入力され、選択スイッチ６３の第３の位置６３ｃ（選択記号表示８３の「□」が記された位置、選択番号表示８５の「３」で指示される位置）を操作すると、その情報が制御回路７３に入力され、又、選択スイッチ６３の第４の位置６３ｄ（選択記号表示８３の「△」が記された位置、選択番号表示８５の「４」で指示される位置）を操作すると、その情報が制御回路７３に入力され、アンテナ６１を経由して、外部の制御装置１７から読み取ることが可能な構成を有する。
【００８２】
又、図１に示すように、学校７の出入口１１には、既述したＵＨＦアンテナ１３、１５の設置に加えて、超指向性音響伝達装置２０７、２０９、２１１と、ＵＨＦアンテナ２１３と、赤枠で縁取られた情報交換領域エリア表示２１５と、支持部材２１７とが設置されている。
【００８３】
超指向性音響伝達装置２０７は、左側の門壁１１ａに取り付けられ、ＵＨＦアンテナ１３の検出エリア１３Ａとほぼ重なる音声の伝達エリア２０７Ａを備え、この音声の伝達エリア２０７Ａに位置する学童９などの人間に対してだけ、音声情報を伝達する機能を有する。例えば、超指向性音響伝達装置２０７、２０９、２１１としては、超音波ビームを利用する「オーディオ・スポットライト・システム」（商品名）や「ハイパーソニック・サウンドシステム」（商品名）の利用が可能である。尚、学童９が受信機を用いることなく音声の伝達エリア２０７Ａに限って、情報を伝達する機能を有するものであれば、どの様な機構や構造を有するものでも利用が可能である。
【００８４】
又、超指向性音響伝達装置２０９は、右側の門壁１１ｂに取り付けられ、ＵＨＦアンテナ１５の検出エリア１５Ａとほぼ重なる音声の伝達エリア２０９Ａを備え、この音声の伝達エリア２０９Ａに位置する学童９などの人間に対してだけ、音声情報を伝達する機能を有する。
【００８５】
支持部材２１７は、超指向性音響伝達装置２１１と、ＵＨＦアンテナ２１３とを、情報交換領域エリア表示２１５の上方に設置するもので、一端２１７Ａが左側の門柱１１ｃ上に固定され、他端２１７Ｂにベース板２１７Ｃが取り付けられている。
【００８６】
ベース板２１７Ｃは、情報交換領域エリア表示２１５の上方に位置し、詳細な構造の図示を省略する超指向性音響伝達装置２１１と、ＵＨＦアンテナ２１３とを保持する。
超指向性音響伝達装置２１１は、情報交換領域エリア表示２１５の上方に位置する学童９などの人間に対してだけ、音声情報を伝達する機能を有する。又、ＵＨＦアンテナ２１３は、情報交換領域エリア表示２１５と、ＵＨＦアンテナ２１３との間に位置するＩＣタグ３、２０３に電源の供給を行うと共に、このＩＣタグ３、２０３が出力した情報を受信する機能を有する。
【００８７】
つまり、情報交換領域エリア表示２１５の上に、ＩＣタグ３、２０３を持った学童９が立つと、そのＩＣタグ３、２０３から出力された情報がＵＨＦアンテナ２１３で読み取られ、制御装置１７に伝達されると共に、制御装置１７から出力された音声信号が超指向性音響伝達装置２１１から学童９に向かって出力され、学童９がその音声を聴取することが可能になる。
【００８８】
尚、超指向性音響伝達装置２１１から出力された音声信号は、情報交換領域エリア表示２１５を外れて立つ学童９等の人間が音圧が小さくて内容を理解できない構造を有する。
次ぎに、ＩＣタグ２０３を持った学童９が出入口１１を通る場合を例にして、学童９にメッセージを伝達すると共に、学童９からの返答を取得する動作を説明する。
【００８９】
学童９が出入口１１を通過すると、ＩＣタグ２０３がＵＨＦアンテナ１３の検出エリア１３Ａ、又はＵＨＦアンテナ１５の検出エリア１５Ａを通過する。この場合に、図７の学童カード門扉通過処理のＳ２２０の処理によって、識別コードＩＤが抽出される。
【００９０】
以後、既述したＳ２３０〜Ｓ２７０が実行され、メールの送信などが行われる。
その後、図９に示す学童データベース２（２３５）の読込処理が実行され（Ｓ２９０）、その読み込んだ学童データベース２（２３５）に未再生メッセージがあるかを判断する（Ｓ３００）。ここで読み込まれる学童データベース２（２３５）は、制御装置１７内に構成され、図１０に示すように、識別コードＩＤ毎にメッセージに関するデータを記憶するものであって、告知メッセージ記録エリア２３７と、メッセージナンバ記録エリア２３９と、メッセージファイル記録エリア２４１と、書込者の情報記録エリア２４３と、再生日時情報記録エリア２４５と、聴取確認情報記録エリア２４７とからなるＩＤ毎レコード２４９を備えている。ここで、告知メッセージ記録エリア２３７には、学童９に対して初めにメッセージがあることを伝達し、その場合の行動を指示する文面が記憶される。又、メッセージナンバ記録エリア２３９には、メッセージを識別するためのユニークな番号が記憶される。メッセージファイル記録エリア２４１には、メッセージの文面が格納されているファイルの名称やアドレスが記憶される。書込者の情報記録エリア２４３は、メッセージを書き込んだものの情報、例えば、父母の名称や識別番号、担任の名称や識別番号が記録される。再生日時情報記録エリア２４５は、学童９へのメッセージを伝達した日時の情報が記録される。聴取確認情報記録エリア２４７には、学童９がメッセージを聞いて、選択スイッチ６３を操作した場合に、その選択スイッチ６３の操作内容が記憶される。
【００９１】
Ｓ２９０では、Ｓ２２０で抽出した識別コードＩＤのＩＤ毎レコード２４９の告知メッセージ記録エリア２３７と、メッセージナンバ記録エリア２３９と、メッセージファイル記録エリア２４１と、書込者の情報記録エリア２４３と、再生日時情報記録エリア２４５と、聴取確認情報記録エリア２４７とに記録されているデータを読み込む。そして、再生日時情報記録エリア２４５に再生日時が格納されていないメッセージナンバ記録エリア２３９のデータに基づいて、未再生メッセージがあるかの判断を行う（Ｓ３００）。
【００９２】
ここでの未再生メッセージの有無の判断は、例えば、再生日時情報記録エリア２４５に、選択スイッチ６３の操作内容のデータが何も記憶されていない場合には、未再生メッセージが有りであるとの判断が行われ、再生日時情報記録エリア２４５に、選択スイッチ６３の操作内容のデータが記憶されていれば、未再生メッセージが無しであるとの判断が行われる。
【００９３】
ここで、未再生メッセージがないと判断されれば（Ｓ３００）、本学童カード門扉通過処理ルーチンをそのまま一旦終了する。つまり、何もアクションが起きない。従って、学童９は、出入口１１を何事もなく、そのまま通過する。
【００９４】
一方、未再生メッセージがある場合には（Ｓ３００）、次ぎにＩＤに登録された呼びかけ名称に対するメッセージ有りの告知実行が行われる（Ｓ３１０）。
このメッセージ有りの告知実行では、先ず、告知メッセージ記録エリア２３７に記録されている文面を音声データに変換後、超指向性音響伝達装置２０７、２０９に出力して、この超指向性音響伝達装置２０７、２０９から超指向性の音声メッセージとして出力させる処理を行う。
【００９５】
これにより、例えば、伝達エリア２０７Ａ、２０９Ａにいる学童９が告知メッセージ記録エリア２３７に記録されている文面、ここでは「○○さん  メッセージがあります  赤枠内に立って  メッセージを聞いてください  内容を確認したら  ○ボタンを押してください  もう一度聞きたい場合は  △ボタンをおしてください」のアナウンスを聞くことになる。尚、この場合には、伝達エリア２０７Ａ、２０９Ａの外にいる学童９等の人間は、アナウンスの音圧が小さく、その内容を理解することはできない。
【００９６】
この様な告知メッセージを聞いた学童９は、予め教示されていた図１に示す情報交換領域エリア表示２１５上に移動して、そこに佇む。
学童９が佇んだ情報交換領域エリア表示２１５の上方には、ＵＨＦアンテナ２１３と、超指向性音響伝達装置２１１とが配置されており、ＵＨＦアンテナ２１３からは、図１１に示すメッセージ伝達処理ルーチン（制御装置１７によって、繰り返し実行される。）のフローチャートの読込信号（聴取開始用、聴取確認用）送信処理（Ｓ４００）によって、聴取開始用の読込信号の送信と、聴取確認用の読込信号の送信が行われている。
【００９７】
従って、学童９が持参するＩＣタグ２０３は、その聴取開始用の読込信号と、聴取確認用の読込信号とを受信する。
この読込信号を受信するＩＣタグ２０３は、図１２に示す学童カード処理ルーチンのフローチャートの読込信号（聴取開始用）受信処理（Ｓ５００）によって、その聴取開始用の読込信号を受信する。次いで、その聴取開始用の読込信号に基づいて、識別コードＩＤの返信かを判断する（Ｓ５１０）。なお、聴取開始用の読込信号は、識別コードＩＤの返信を行うとの規則が予め定められている。
【００９８】
ここで、識別コードＩＤの返信を行わないと判断した場合には（Ｓ５１０）、本学童カード処理をそのまま一旦終了する。
一方、識別コードＩＤの返信を行うと判断した場合には（Ｓ５１０）、制御回路７３内のメモリに記録されている識別コードＩＤを入力して（Ｓ５２０）、その識別コードＩＤデータをアンテナ６１を利用して、送信する処理を行う（Ｓ５３０）。
【００９９】
つまり、ＩＣタグ２０３は、聴取開始用の読み信号を受信すると、自己が記憶する識別コードＩＤを送信する。この送信された識別コードＩＤは、ＵＨＦアンテナ２１３によって受信され、制御装置１７に伝達される。
【０１００】
次ぎに、図１３の学童メッセージ再生処理ルーチン（制御装置１７によって繰り返し実行される。）のフローチャートに基づいて、メッセージを超指向性音響伝達装置２１１が再生する処理を説明する。
【０１０１】
先ず、返信データの読み込み処理を実行し（Ｓ６００）、返信データの読み込みが行われるまで（Ｓ６１０）、本学童メッセージ再生処理をそのまま一旦終了する。返信データの読み込みができた場合には（Ｓ６１０）、その返信データから識別コードＩＤを抽出する処理（Ｓ６２０）、識別コードＩＤ＋選択内容を抽出する処理（Ｓ６３０）、及び抽出した識別コードＩＤに該当する学童データベース２（２３５）を読み込む処理（Ｓ６４０）を順番に実行する。
【０１０２】
尚、識別コードＩＤと、識別コード＋選択内容とは、１つのＩＣタグ２０３から同時に出力されることはないが、何れかが出力されるので、識別コードＩＤを抽出する処理（Ｓ６２０）、および識別コードＩＤ＋選択内容を抽出する処理（Ｓ６３０）を順番に実行する。
【０１０３】
抽出した識別コードＩＤに該当する学童データベース２（２３５）の情報の読み込み後、この読み込んだ情報に基づいて、未再生メッセージがあるかを判断し（Ｓ６５０）、未再生メッセージがあれば、未再生メッセージの再生を実行し（Ｓ６６０）、未再生メッセージがなければ、未再生メッセージの再生処理（Ｓ６６０）を行うことなく、次の処理に移行する。
【０１０４】
ここでの未再生メッセージの有無の判断は、例えば、図１０に示す学童データベース２（２３５）の再生日時情報記録エリア２４５に、選択スイッチ６３の操作内容のデータが何も記憶されていない場合には、未再生メッセージが有りであるとの判断が行われ、再生日時情報記録エリア２４５に、選択スイッチ６３の操作内容のデータが記憶されていれば、未再生メッセージが無しであるとの判断が行われる。
【０１０５】
又、未再生メッセージの再生処理では（Ｓ６６０）、メッセージファイル記録エリア２４１に記憶されてファイルの情報を読み込んで、その情報を音声データに変換後、超指向性音響伝達装置２１１に出力して、この超指向性音響伝達装置２１１から超指向性の音声メッセージとして出力させる処理を行う。
【０１０６】
これにより、例えば、赤枠で縁取られた情報交換領域エリア表示２１５上にいる学童９がメッセージファイル記録エリア２４１に記憶されている情報に基づくメッセージを聞くことになる。例えば、「○○さん  登校したら  職員室の○○先生の所まで行ってください」や「○○さん  ○○です  帰りに  ○○店で  ○○を受け取って  来てください」等のメッセージを○○の識別コードＩＤを所持し、赤枠で縁取られた情報交換領域エリア表示２１５上にいる学童９だけに、再生し、報知することが可能になる。又、メッセージの再生に続いて、「○○さん  メッセージを聞いて  内容が理解できたら  ○ボタンを押してください  もう一度聞きたい場合は  △ボタンをおしてください」のアナウンスを流す。
【０１０７】
上記のメッセージの再生（Ｓ６６０）や未再生メッセージの有無の判断の後（Ｓ６５０）、Ｓ６３０の識別コードＩＤ＋選択内容の抽出処理で抽出した選択内容の情報に基づいて、再再生の要求が有りかを判断し（Ｓ６７０）、再再生の要求があると判断した場合には、次ぎに、メッセージの再再生を実行し（Ｓ６８０）、一方、再再生の要求がないと判断した場合には（Ｓ６７０）、メッセージの再再生を行うことなく次ぎに移行する。メッセージの再再生では、Ｓ６６０のメッセージの再生とほぼ同様の内容の処理が行われる。
【０１０８】
又、再再生の要求があるかの判断は、選択スイッチ６３の第４の位置６３ｄ（選択記号表示８３の「△」が記された位置、選択番号表示８５の「４」で指示される位置）が操作されたことを示す情報がＳ６３０で抽出されたかに基づいて行われる。
【０１０９】
上記のメッセージの再再生（Ｓ６８０）や再再生メッセージの有無の判断の後（Ｓ６７０）、Ｓ６３０の識別コードＩＤ＋選択内容の抽出処理で抽出した選択内容の情報に基づいて、メッセージの確認有りかを判断し（Ｓ６９０）、メッセージの確認があると判断した場合には、次ぎに、学童データベース２に聴取確認の書込を行い（Ｓ７００）、一方、メッセージの確認がない場合には（Ｓ６９０）、学童データベース２に聴取確認の書込を行うことなく、本学童メッセージ再生処理を一旦終了する。
【０１１０】
又、メッセージの確認があるかの判断は、選択スイッチ６３の第１の位置６３ａ（選択記号表示８３の「○」が記された位置、選択番号表示８５の「１」で指示される位置）が操作されたことを示す情報がＳ６３０で抽出されたかに基づいて行われる。
【０１１１】
学童データベース２（２３５）への聴取確認の書き込みでは、聴取確認情報記録エリア２４７に聴取確認の情報を記憶する。
以上の学童メッセージ再生処理が繰り返し実行されることで、例えば、赤枠で縁取られた情報交換領域エリア表示２１５上にいる学童９がメッセージファイル記録エリア２４１に記憶されている情報に基づくメッセージを聞くことができると共に、双方向機能であるメッセージの再再生を求め、メッセージの再再生を受けたり、メッセージを確認したことを知らせたりすることができる。
【０１１２】
次ぎに、選択スイッチ６３の操作状態を送信する処理を説明する。
図１４は、ＩＣタグ２０３で繰り返し行われる学童カード処理ルーチンのフローチャートである。
【０１１３】
先ず、読込信号（聴取確認用）受信処理（Ｓ８００）によって、その聴取確認用の読込信号を受信する。次いで、その聴取確認用の読込信号に基づいて、識別コードＩＤの返信かを判断する（Ｓ８１０）。なお、聴取確認用の読込信号は、識別コードＩＤ＋選択スイッチ６３の操作状態の返信を行うとの規則が予め定められている。
【０１１４】
ここで、識別コードＩＤの返信を行わないと判断した場合には（Ｓ８１０）、本学童カード処理をそのまま一旦終了する。
一方、識別コードＩＤの返信を行うと判断した場合には（Ｓ８１０）、先ず、制御回路７３内のメモリに記録されている識別コードＩＤを入力し（Ｓ８２０）、次いで、選択スイッチ６３の操作があったかを判断し（Ｓ８３０）、選択スイッチ６３の操作がなければ、本学童カード処理をそのまま一旦終了し、選択スイッチ６３の操作があれば（Ｓ８３０）、識別コードＩＤデータと、選択スイッチ６３の操作位置の情報、つまり、第１の位置６３ａが操作されたか、第２の位置６３ｂが操作されたか、第３の位置６３ｃが操作されたか、第４の位置６３ｄが操作されたかの情報をアンテナ６１を利用して、送信する処理を行う（Ｓ８４０）。
【０１１５】
つまり、ＩＣタグ２０３は、聴取確認用の読み信号を受信すると、選択スイッチ６３の操作がなければ、何も送信せず、選択スイッチ６３の操作があったら、自己が記憶する識別コードＩＤと、選択スイッチ６３の操作状態とを合成した信号を送信する。この送信された識別コードＩＤと、選択スイッチ６３の操作状態とは、ＵＨＦアンテナ２１３によって受信され、制御装置１７に伝達され、既述した図１３の学童メッセージ再生処理によって利用される。
【０１１６】
この選択スイッチ６３の操作状態を制御装置１７に送信する機能を利用することで、例えば、学童９の父母との間で、双方向通信が可能になる。例えば、父母からのメッセージに、応答を求める問いかけを入れておき、例えば、学童９の選択が１の場合には、「□」を操作させ、選択が２の場合には、「Ｘ」を選択させ、その結果を電子メールで送ってもらうといった便利な利用方法が可能になる。
【０１１７】
次ぎに、学童９や教師などが学童９にメッセージを伝達する手続きを説明する。
図１５は、携帯電話機５９によって実行されるメッセージ登録メールの作成処理ルーチンのフローチャートである。このメッセージ登録メールの作成処理ルーチンは、図５に示すリード・ライト装置９９に記録されており、携帯電話機５９の制御装置１１１にソフトウエアとして供給され、この制御装置１１１によって、実行される。又、このメッセージ登録メールの作成処理ルーチンは、キーボード１１３と、ディスプレイ１１５とを利用して、選択起動される。尚、メッセージ登録メールの作成処理ルーチンのソフトウエアは、メモリーカードで、携帯電話機５９に登録することも可能である。
【０１１８】
メッセージ登録メールの作成処理が起動されると、先ず、メッセージ登録ソフトの起動が行われ（Ｓ９００）、続いて、学童９の識別コードＩＤの入力を求める登録先ＩＤの入力（選択）処理が行われる（Ｓ９１０）。例えば、ディスプレイ１１５に識別コードＩＤの入力画面や選択画面を表示して、そこに入力を求めたり、選択を求めたりして、その入力や選択結果を格納する処理を行う。
【０１１９】
識別コードＩＤが入力されたら、次ぎに登録メッセージの入力（文字情報入力、又は音声入力）を行う（Ｓ９２０）。文字情報入力では、キーボード１１３を利用して、文字情報の入力を行い、その入力結果を格納する。
【０１２０】
また、音声入力では、図５に示す携帯電話機５９のマイク１１７から音声を入力し、その音声をディジタルデータに変換後、格納する。尚、ディジタルデータへの変換方式は、慣用されている色々な方式を利用可能である。
【０１２１】
登録メッセージを入力したら（Ｓ９２０）、次ぎに、パスワードの入力（選択）を行って（Ｓ９３０）、メッセージの登録を求めるメールを作成するための必要な情報の準備が完了する。パスワードの入力や選択は、ディスプレイ１１５と、キーボード１１３とを利用して行う。
【０１２２】
以後、所定の規則に則って、登録メールを作成し（Ｓ９４０）、その作成した登録メールを電子メールで送信する（Ｓ９５０）。
以上のメッセージ登録メールの作成処理が実行されることで、学童９に伝達するメッセージが制御装置１７に送信される。
【０１２３】
登録メールが電子メールで送信されると、制御装置１７によって受信される構成を備えている。
次ぎに、電子メールを受信して、学童データベース２（２３５）に登録する処理を、説明する。
【０１２４】
制御装置１７は、図１６に示すメッセージ登録制御ルーチンのフローチャートを備え、このメッセージ登録制御を繰り返し実行する。
先ず、メッセージ登録メールの受信処理を行う（Ｓ１０００）。メールの受信は、慣用されているメールサーバを利用した電子メールの受信方法によって行う。
【０１２５】
次いで、受信処理の結果、受信したかを判断し（Ｓ１０１０）、受信がなければ、本メッセージ登録制御をそのまま一旦終了する。
又、受信があった場合は（Ｓ１０１０）、受信したメールに、予め決められた状態で、識別コードＩＤが記載されていれば、その識別コードＩＤの抽出を行う登録先ＩＤの抽出処理を行い（Ｓ１０２０）、次いで、受信したメールに、予め決められた状態で、パスワードが記載されていれば、そのパスワードを抽出して、そのパスワードが適正なものであるかを判断することで、その識別コードＩＤにメッセージを書き込む権限を有するかを判断し（Ｓ１０３０）、権限がなければ、本メッセージ登録制御をそのまま一旦終了する。
【０１２６】
一方、書き込み権限があれば、学童データベース２（２３５）にメッセージを格納して、そのメッセージの格納場所を示す情報をメッセージファイル記録エリア２４１に書き込む該当識別コードＩＤにメッセージを格納する処理と、受信したメールに、予め決められた状態で、電子メールの送信者の情報が記載されていれば、その情報を書込者の情報記録エリア２４３に書き込む、書込者の情報を格納する処理とを行って（Ｓ１０４０）、本メッセージ登録制御を一旦終了する。
【０１２７】
以上のメッセージ登録制御により、電子メールで受信したメッセージが学童データベース２（２３５）に格納され、図１３の学童メッセージ再生処理によって、利用可能になる。
【０１２８】
つまり、学童９にメッセージを伝達することが可能になる。
尚、電子メールによって、メッセージを格納する場合には、メッセージナンバ記録エリア２３９にユニークなコードが付けられる。
【０１２９】
又、聴取確認情報記録エリア２４７に聴取の確認を示す情報が格納されると、図示しない返信電子メール制御処理が制御装置１７で起動され、書込者の情報記録エリア２４３に書き込まれている書込者の情報に基づいて、メッセージの聴取の確認があったことを知らせる電子メールが送信されるように構成されている。
【０１３０】
これにより、メッセージの書込者と、学童９との間の双方向の意思の伝達が、学童９が携帯電話機等の通信手段を用いることなく可能になる。
被管理対象管理システム１は、学校７などの管理区域に出入りする学童９等の被管理対象への連絡情報（メッセージともいう。）の伝達を学童９が携帯電話機５９等の情報伝達機器を所持することなく、しかも受付機を利用することもなく行えると共に、その伝達に際しては、他人がその連絡情報の内容を知ることが難しく、プライバシーが確保されて、利便性と、秘密の保持機能とを共に向上することができるという極めて優れた効果を奏する。
【０１３１】
又、被管理対象管理システム１は、超指向性音響伝達装置２０７、２０９から伝達エリア２０７Ａ、２０９Ａを境界にして、或いは超指向性音響伝達装置２１１から情報交換領域エリア表示２１５を境界にして、音圧レベルが段階的に相違する音響が出力されることにより、伝達エリア２０７Ａ、２０９Ａや情報交換領域エリア表示２１５を境界にして、識別コードＩＤに対応するメッセージの聴取可否を明確に分けることが可能になることから、伝達エリア２０７Ａ、２０９Ａや情報交換領域エリア表示２１５を他の人が通ったり、立ち止まる位置の近くに設けても、他人が連絡情報の内容を知ることができなくなる。
【０１３２】
従って、情報交換領域エリア表示２１５の設置場所の自由度が高くなるとともに、学童９が通常通行する位置から大きく外れることのない位置に、情報交換領域エリア表示２１５を設定して、学童９への情報の伝達を行うことが可能になる。
【０１３３】
この結果、利便性と、秘密の保持機能とを更に向上することができるという極めて優れた効果を奏する。
被管理対象管理システム１は、文字情報のメッセージを、音声のメッセージに変換して、超指向性音響伝達装置２０７、２０９、２１１から出力することが可能になることから、電子メールの文字データで、メッセージを設定することが可能になり、例えば、学童９の関係者の父母が何時でも何処でも携帯電話機５９などで簡単に設定することができ、利便性が向上するという効果を奏する。
【０１３４】
被管理対象管理システム１は、ＩＣタグ２０３の選択スイッチ６３を選択すると、その選択状態が学童データベース２（２３５）に記憶されることから、この学童データベース２（２３５）を読み込んで、ＩＣタグ２０３の選択スイッチ６３の状態を知ることが可能になる。
【０１３５】
この結果、ＩＣタグ２０３を持参する学童９などの被管理対象の意思や返事を利用することができて、双方向のメッセージの伝達機能が構成され、例えば、その意思や返事を識別情報に対応する情報を書き込んだ被管理対象の関係者に伝えることが可能になるなど、色々な利用方法を提供可能になると言う極めて優れた効果を奏する。
【０１３６】
例えば、色々な利用方法としては、家族が学童に行き先や帰宅時間の確認を求めるメッセージを伝達し、そのメッセージを聞いたことの確認を求めたり、そのメッセージの返事を求めたりする用途の利用が可能になる。
【０１３７】
又、この双方向のメッセージの伝達機能が学童に携帯電話機などを持たせることなく利用でき、便利である。
しかも、この双方向のメッセージの伝達機能が被管理対象と、その関係者間との緊密な情報の交換機能を発揮させ、例えば、事件や事故などを未然に防止したり、解決を早めたりする効果を奏する。
【０１３８】
被管理対象管理システム１は、学童９などの被管理対象に入退出時にメッセージを伝達する機能と、学童９などの被管理対象が入退出したことを知らせるメッセージを伝達する機能とを両方とも備えることができ、或いは、学童９などの被管理対象がメッセージを確認したことを伝達する機能をも備えることができることから、学童９などの被管理対象と、この被管理対象の関係者との間の意思疎通を簡単に構成することが可能になり、利便性が向上するという極めて優れた効果を奏する。
【０１３９】
被管理対象管理システム１は、学童９などの被管理対象に入退出時にメッセージを伝達する機能と、学童９などの被管理対象が入退出したことを知らせるメッセージの電子メールを伝達する機能と、学童９などの被管理対象がメッセージを確認したことを知らせる電子メールを伝達する機能とを備えることができ、学童９などの被管理対象と、学童９などの被管理対象の父母などの関係者との間の意思疎通を簡単に構成することが可能になり、利便性が向上するという極めて優れた効果を奏する。
【０１４０】
尚、本発明は、上記の実施例の被管理対象管理システム１に限定されるものではなく、本発明の要旨を変更しない範囲で様々な態様の実施が可能である。
次に特許請求の範囲の構成と、発明の実施の形態との対応を説明する。尚、対応関係の説明は、代表例を示し、限定されるものではない。
【０１４１】
請求項１の被管理対象は、学童９、被管理対象管理システムは、被管理対象管理システム１、情報伝達領域は、伝達エリア２０７Ａ、２０９Ａ、情報交換領域エリア表示２１５の上、指向性音響出力手段は、超指向性音響伝達装置２０７、２０９、２１１、識別情報記憶手段は、ＩＣタグ３、２０３内のメモリ、識別情報検出手段は、ＵＨＦアンテナ１３、１５、２１３、図７のＳ２００ないしＳ２２０、図１３のＳ６００ないしＳ６３０、情報記憶手段は、学童データベース２（２３５）、情報入力手段は、図１６のＳ１０００、情報書込手段は、図１６のＳ１０４０、情報読込手段は、図９のＳ２９０、図１３のＳ６４０、情報伝達実行手段は、図９のＳ３１０、図１３のＳ６６０が対応する。
【０１４２】
請求項２は、超指向性音響伝達装置２０７、２０９、２１１の説明が対応する。
請求項３の音声信号変換手段は、Ｓ６６０の説明が対応する。
請求項４は、図１６の説明が対応する。
【０１４３】
請求項５の選択スイッチは、選択スイッチ６３、ＩＣタグは、ＩＣタグ２０３、選択スイッチの状態と、識別情報とを受信する無線受信手段は、図１３のＳ６３０の説明、無線受信手段によって受信した選択スイッチの状態を情報記憶手段に記憶する選択スイッチ状態記憶手段は、Ｓ７００、選択スイッチ６３の説明が対応する。
【０１４４】
請求項６は、図７の説明が対応する。
請求項７の選択スイッチ状態連絡手段は、学童データベース２（２３５）の聴取確認情報記録エリア２４７の説明が対応する。
【図面の簡単な説明】
【０１４５】
【図１】被管理対象管理システム１の使用状態の説明図である。
【図２】ＩＣタグ３の外観図である。
【図３】被管理対象管理システム１のブロック図である。
【図４】ＩＣタグ２０３の正面図である。
【図５】携帯電話機５９の説明図である。
【図６】学童カード処理ルーチンのフローチャートである。
【図７】制御装置１７で所定時間毎に実行される学童カード門扉通過処理ルーチンのフローチャートである。
【図８】学童データベース１の説明図である。
【図９】制御装置１７で所定時間毎に実行される学童カード門扉通過処理ルーチンのフローチャートである。
【図１０】学童データベース２の説明図である。
【図１１】メッセージ伝達制御処理ルーチンのフローチャートである。
【図１２】学童カード制御処理ルーチンのフローチャートである。
【図１３】学童メッセージ再生処理ルーチンのフローチャートである。
【図１４】学童カード制御処理ルーチンのフローチャートである。
【図１５】メッセージ登録メールの作成制御処理ルーチンのフローチャートである。
【図１６】メッセージ登録制御処理ルーチンのフローチャートである。
【符号の説明】
【０１４６】
１…被管理対象管理システム、３、２０３…ＩＣタグ、
５…ＩＣカード、７…学校、９…学童、
１１…出入口、１３、１５、２１３…ＵＨＦアンテナ、１３Ａ…検出エリア、
１５…ＵＨＦアンテナ、１５Ａ…検出エリア、１７…制御装置、
１９…信号線、２１…本体、２３…取付具、
２５…取付穴、２９…学校名表示、３１…通し番号表示、
３３…通信インタフェース、３５…学童データベース１、
３７…門扉通過時間記録エリア、３９…送信文記録エリア、
４１…保護者送信先アドレス記録エリア、４３…送信済み印記録エリア、
４５…受信文記録エリア、４７…受信文参照済み印記録エリア、
４９…通信インタフェース、５１…公衆通信回線、
５３…ＩＰネットワーク、５５…メールサーバ、
５７…携帯電話局、５９…携帯電話機、６１…アンテナ、
６３…選択スイッチ、６３ａ…第１の位置、６３ｂ…第２の位置、６３ｃ…第３の位置、
６３ｃ…第４の位置、７３…制御回路、７７…ケース、
８１…学園名表示、８３…選択記号表示、１１３…キーボード、１１５…ディスプレイ、１１７…マイク、８５…選択番号表示、
２１７…支持部材、２０７、２０９、２１１…超指向性音響伝達装置、
２１５…情報交換領域エリア表示、２３５…学童データベース２、
２０７Ａ、２０９Ａ…超指向性音響伝達装置、２３７…告知メッセージ記録エリア、
２３９…メッセージナンバ記録エリア、２４１…メッセージファイル記録エリア、
２４３…情報記録エリア、２４５…再生日時情報記録エリア、
２４７…聴取確認情報記録エリア、２４９…ＩＤ毎レコード、
ＥＫ…暗号キー、ＤＫ…復号キー、ＩＤ…識別コード
【図１】
2007087037.tif 000003
【図２】
2007087037.tif 000004
【図３】
2007087037.tif 000005
【図４】
2007087037.tif 000006
【図５】
2007087037.tif 000007
【図６】
2007087037.tif 000008
【図７】
2007087037.tif 000009
【図８】
2007087037.tif 000010
【図９】
2007087037.tif 000011
【図１０】
2007087037.tif 000012
【図１１】
2007087037.tif 000013
【図１２】
2007087037.tif 000014
【図１３】
2007087037.tif 000015
【図１４】
2007087037.tif 000016
【図１５】
2007087037.tif 000017
【図１６】
2007087037.tif 000018